(57)【要約】【課題】要件の多いメモや地図などを用紙に記入する際に、その記入内容が二枚に及ぶことなく一枚に非常に分かり易く記入することができるメモ帳を提供する。【解決手段】同一の矩形状の複数の用紙２，２，…が同じ向きでそれぞれ二つ折りされた状態で平積みされ、それぞれの折り線ｍ側の辺で天糊処理されたメモ帳本体２０を備え、各用紙２が、二つ折りされた状態のままでメモ帳本体２０の天糊処理部２１から剥ぎ取られ、折り線ｍを伸ばして一枚に広げた状態で使用されるようにしている。【選択図】図４
2014100870.tif 000002
【特許請求の範囲】
【請求項１】
同一の矩形状の複数の用紙が同じ向きでそれぞれ二つ折りされた状態で平積みされ、それぞれの折り線側の辺で天糊処理されたメモ帳本体を備えていて、
前記各用紙が、二つ折りされた状態のままで前記メモ帳本体の天糊処理部から剥ぎ取られ、前記折り線を伸ばして一枚に広げた状態で使用されることを特徴とするメモ帳。
【請求項２】
前記各用紙には、前記メモ帳本体において交互又は複数枚毎に種類の異なる罫線が描かれている請求項１に記載のメモ帳。
【請求項３】
前記各用紙の表面及び裏面には、互いに同一種類の罫線が描かれている請求項１又は請求項２に記載のメモ帳。
【請求項４】
前記各用紙の表面及び裏面には、互いに種類の異なる罫線が描かれている請求項１又は請求項２に記載のメモ帳。
【発明の詳細な説明】
【技術分野】
【０００１】
本発明は、剥ぎ取った用紙にメモ等を記入するためのメモ帳に関する。
【背景技術】
【０００２】
一般に、この種のメモ帳としては、同一の矩形状の複数の用紙を同じ向きで平積みし、それぞれの一辺で天糊処理されたメモ帳本体を備えたものが知られている（例えば、特許文献１参照）。そして、各用紙は、使用時にメモ帳本体の天糊処理部から剥ぎ取られて使用される。
【先行技術文献】
【特許文献】
【０００３】
【特許文献１】特開２００２−５９６７３号公報
【発明の概要】
【発明が解決しようとする課題】
【０００４】
ところで、メモ帳を設置したり収容しておく際に必要となるスペースの関係から、メモ帳本体自体が比較的コンパクトに形成されている。その場合、要件の多いメモや地図などを用紙に記入する際に、その記入内容が用紙のメモ領域を超えてしまうことがあり、記入内容が二枚に及んでしまうと、記入内容が非常に分かり難い表示となる。
【０００５】
本発明は、かかる点に鑑みてなされたものであり、その目的とするところは、要件の多いメモや地図などを用紙に記入する際に、その記入内容が二枚に及ぶことなく一枚に非常に分かり易く表示することができるメモ帳を提供することにある。
【課題を解決するための手段】
【０００６】
上記目的を達成するため、本発明では、メモ帳として、同一の矩形状の複数の用紙が同じ向きでそれぞれ二つ折りされた状態で平積みされ、それぞれの折り線側の辺で天糊処理されたメモ帳本体を備えていて、前記各用紙が、二つ折りされた状態のままで前記メモ帳本体の天糊処理部から剥ぎ取られ、前記折り線を伸ばして一枚に広げた状態で使用されることを特徴としている。
【０００７】
また、前記各用紙に、前記メモ帳本体において交互又は複数枚毎に種類の異なる罫線が描かれていてもよい。
【０００８】
更に、前記各用紙の表面及び裏面に、互いに同一種類の罫線が描かれていてもよい。
【０００９】
これに対し、前記各用紙の表面及び裏面に、互いに種類の異なる罫線が描かれていてもよい。
【発明の効果】
【００１０】
以上、要するに、各用紙が、二つ折りされた状態のままでメモ帳本体の天糊処理部から剥ぎ取られ、折り線を伸ばして一枚に広げた状態で使用されることで、要件の多いメモや地図などを用紙に記入する際に、その記入内容が二枚に及ぶことなく広げた一枚に収まり、記入内容を一枚に非常に分かり易く表示することができる。
【００１１】
また、メモ帳本体において交互又は複数枚毎の各用紙に、種類の異なる罫線が描かれていることで、記入内容に応じて種類の異なる罫線が描かれた用紙を適宜選択することができる。
【００１２】
更に、各用紙の表面及び裏面に互いに同一種類の罫線が描かれていることで、用紙の表面又は裏面に表示した記入内容に誤りがあっても、新たな用紙をメモ帳本体の天糊処理部から剥ぎ取る必要がなく、用紙の裏面又は表面に記入内容を表示し直すことができる。
【００１３】
更に、各用紙の表面及び裏面に互いに種類の異なる罫線が描かれていることで、記入内容に応じて各用紙の表面又は裏面を適宜使い分けることができる。
【図面の簡単な説明】
【００１４】
【図１】本発明の実施の形態に係るメモ帳の斜視図である。
【図２】図１のメモ帳の背表紙付近での横断面図である。
【図３】図１のメモ帳本体から剥ぎ取って表面を広げた状態での用紙の表面図である。
【図４】図１のメモ帳本体から１枚の用紙を剥ぎ取り始めた状態を示すメモ帳の斜視図である。
【図５】図１のメモ帳本体から用紙を剥ぎ取った状態でのメモ帳の斜視図である。
【図６】本実施の形態の変形例に係るメモ帳の斜視図である。
【図７】図６のメモ帳本体から剥ぎ取って表面を広げた状態での第１種類の用紙の表面図である。
【図８】図６のメモ帳本体から剥ぎ取って表面を広げた状態での第２種類の用紙の表面図である。
【発明を実施するための形態】
【００１５】
以下、本発明の実施の形態を添付した図面により詳細に説明する。
【００１６】
先ず、図１は本発明の実施の形態に係るメモ帳の斜視図、図２はメモ帳の背表紙付近での横断面図をそれぞれ示している。
図１及び図２において、１はメモ帳であって、同一の矩形状の複数の用紙２，２，…を同じ向きでそれぞれ平積みして天糊処理したメモ帳本体２０を備えている。
【００１７】
また、メモ帳１は、メモ帳本体２０を覆うカバー材３を備えている。このカバー材３は、メモ帳本体２０の用紙２とほぼ同一形状に形成され、当該メモ帳本体２０の表層側の用紙２を覆う表表紙３１と、メモ帳本体２０の用紙２とほぼ同一形状に形成され、当該メモ帳本体２０の深層側の用紙２を覆う裏表紙３２と、表表紙３１と裏表紙３２とを繋ぐ背表紙３３とからなる。
【００１８】
そして、メモ帳本体２０の各用紙２は、Ａ４サイズを同じ向きでそれぞれ二つ折りしたＡ５サイズの状態で平積みされ、それぞれの折り線ｍ側の辺（図２では左端の辺）がメモ帳本体２０の天糊処理部２１で貼着されて一枚毎に剥離可能に止着されている。このメモ帳本体２０の天糊処理部２１について説明すると、天糊処理部２１の粘着剤層を形成する粘着剤２２としては、特に限定されるものではなく、ゴム系、アクリル系、ビニルエーテル系、ウレタン系等のエマルジョン型、溶剤型、ホットメルト型粘着剤などが適用される。また、用途に応じて永久粘着用、強粘着用、冷食用、再剥離用などの粘着剤も適用可能である。粘着剤２２の塗布量は、乾燥重量で５〜５０ｇ／ｍ2、好ましくは７〜３０ｇ／ｍ2である。粘着剤２２には、酸化チタン、アルミナ、カーボンブラック、着色剤などの隠蔽剤を配合することも可能である。また、必要に応じて粘着付与剤、架橋剤、顔料、紫外線吸収剤などの助剤を配合してもよい。この場合、天糊処理部２１の粘着剤２２は、各用紙２の二つ折りされた折り線ｍの表面側にのみ付着させ、折り線ｍの裏面側には付着させないようにして、一枚毎の円滑な用紙２の剥離を可能にしている。
【００１９】
また、メモ帳本体２０の天糊処理部２１は、背表紙３３の裏面に接着剤２３により強固に接着されている。この場合、接着剤２３としては、ホットメルト接着剤の一種であるＰＵＲホットメルト接着剤（ポリウレタン系反応型ホットメルト接着剤）などが用いられ、これによりメモ帳本体２０の天糊処理部２１が固められ、天糊処理部２１が背表紙３３から分離しないように一体化されている。
【００２０】
更に、図３に示すように、各用紙２の表面には、縦方向（図３では上下方向）に延びる罫線２４，２４，…と、横方向（図３では左右方向）に延びる罫線２５，２５，…とが互いに等間隔で直交して描かれている。また、各用紙２の裏面にも、縦方向に延びる罫線２４，２４，…と、横方向に延びる罫線２５，２５，…とが互いに等間隔で直交して升目状に描かれている。つまり、各用紙２の表面及び裏面には、互いに同一種類の罫線２４，２５がそれぞれ升目状に描かれている。
【００２１】
ここで、メモ帳１の用紙２を使用する手順を図４及び図５に基づいて説明する。
メモ帳１の用紙２を使用する場合、図４及び図５に示すように、用紙２が二つ折りされた状態でメモ帳本体２０の天糊処理部２１から剥ぎ取られる。そして、剥ぎ取られた用紙２は、図３に示すように、折り線ｍを伸ばしてＡ４サイズに広げた状態で使用される。
【００２２】
したがって、本実施の形態では、各用紙２が、二つ折りされた状態のままでメモ帳本体２０の天糊処理部２１から剥ぎ取られ、折り線ｍを伸ばして一枚に広げた状態で使用されるので、要件の多いメモや地図などを用紙２に記入する際に、その記入内容が二枚に及ぶことなく広げた一枚に収まり、記入内容を一枚に非常に分かり易く表示することができる。
【００２３】
しかも、各用紙２の表面及び裏面に互いに同一種類の縦方向及び横方向の罫線２４，２５がそれぞれ描かれているので、用紙２の表面又は裏面に表示した記入内容に誤りがあっても、新たな用紙２をメモ帳本体２０の天糊処理部２１から剥ぎ取る必要がなく、用紙２の裏面又は表面に記入内容を表示し直すことができる。
【００２４】
なお、本発明は、前記実施の形態に限定されるものではなく、その他種々の変形例を包含している。例えば、前記実施の形態では、各用紙２の表面及び裏面に同一種類の縦方向及び横方向の罫線２４，２５をそれぞれ描いたが、図６に示すように、メモ帳本体２０の表表紙３１側と裏表紙３２側とで略半分の枚数毎にＡ４サイズを同じ向きでそれぞれ二つ折りしたＡ５サイズの状態で平積みした二種類の用紙４，５に２分し、図７に示すように、表表紙３１側の用紙４の表裏両面に、それぞれ縦方向に延びる罫線２４，２４，…が等間隔で描かれている一方、図８に示すように、裏表紙３２側の用紙５の表裏両面に、それぞれ横方向に延びる罫線２５，２５，…が等間隔で描かれていてもよい。この場合には、メモ帳本体２０の表表紙３１側と裏表紙３２側とで略半分の枚数毎の二種類の用紙４，５の表裏両面に、それぞれ縦方向に延びる罫線２４，２４，…又は横方向に延びる罫線２５，２５，…が描かれていることで、記入内容に応じて２種類の異なる罫線２４，２５が描かれた用紙４，５を適宜選択することが可能となる。
この種類の異なる用紙４，５は、２種類に限定されることなく、３種類以上であってもよい。要するに、メモ帳本体において交互又は複数枚毎の各用紙に種類の異なる罫線がそれぞれ描かれていればよい。
更に、種類の異なる用紙毎に薄い色で異なる着色が施されていてもよく、その場合には、種類の異なる用紙の選別を簡単に行うことが可能となる。
【００２５】
また、前記実施の形態では、各用紙２，４，５の表裏両面に、互いに同一種類の罫線２４，２５を描いたが、各用紙の表裏両面に、互いに種類の異なる罫線が描かれていたり、表裏両面のいずれか一方にのみ罫線が描かれて他方が罫線の描かれない白紙のままであってもよい。
【００２６】
また、前記実施の形態では、Ａ４サイズを同じ向きでそれぞれ二つ折りしたＡ５サイズの状態で平積みした各用紙２，４，５を用いたが、用紙のサイズはこれに限定されるものではなく、Ａ３サイズを同じ向きでそれぞれ二つ折りしたＡ４サイズの状態で平積みした各用紙や、Ａ５サイズを同じ向きでそれぞれ二つ折りしたＡ６サイズの状態で平積みした各用紙などが用いられていてもよいのはいうまでもない。
【００２７】
更に、前記実施の形態では、メモ帳１に、メモ帳本体２０を覆うカバー材３を設けたが、カバー材を廃止してメモ帳がメモ帳本体のみで構成されていてもよい。
【符号の説明】
【００２８】
１      メモ帳
２      用紙
２０    メモ帳本体
２１    天糊処理部
２４    罫線
２５    罫線
４      用紙
５      用紙
ｍ      折り線
【図１】
2014100870.tif 000003
【図２】
2014100870.tif 000004
【図３】
2014100870.tif 000005
【図４】
2014100870.tif 000006
【図５】
2014100870.tif 000007
【図６】
2014100870.tif 000008
【図７】
2014100870.tif 000009
【図８】
2014100870.tif 000010